(57)【要約】【課題】塗物の棺や高級高価な棺とよく馴染み、棺と祭壇が違和感なく、荘厳で華やかな雰囲気をかもし出す祭壇を提供しようとするものである。【解決手段】１）垂直方向に複数の壇で祭壇を構成し、各壇の前面に所定の空間を設けたことを特徴とする立体祭壇。２）祭壇を構成する各壇の前面に設けた所定の空間に、顔染料を施した造型物を設けたことを特徴とする請求項１に記載の立体祭壇。３）顔染料を施した造型物に、漆仕上げ、載金（キリガネ）、金泥仕上げを施したことを特徴とする請求項２に記載の立体祭壇。４）祭壇外部に、交流１００Ｖを直流に整流する回路を設け、この直流で、祭壇に設けた祭壇設備の照明としての超高輝度ＬＥＤを点灯し、さらにこの直流を、祭壇内部に設けた充電回路にも給電し、祭壇内部に設けたリチャージブル大容量ニッケル水素電池に充電し、予備の電源として使用するようにしたことを特徴とする請求項１ないし３のいずれかに記載の立体祭壇。【選択図】          図２
2004215799.tif 000002
【特許請求の範囲】
【請求項１】
垂直方向に複数の壇で祭壇を構成し、各壇の前面に所定の空間を設けたことを特徴とする立体祭壇。
【請求項２】
祭壇を構成する各壇の前面に設けた所定の空間に、顔染料を施した造型物を設けたことを特徴とする請求項１に記載の立体祭壇。
【請求項３】
顔染料を施した造型物に、漆仕上げ、載金（キリガネ）、金泥仕上げを施したことを特徴とする請求項２に記載の立体祭壇。
【請求項４】
祭壇外部に、交流１００Ｖを直流に整流する回路を設け、この直流で、祭壇に設けた祭壇設備の照明としての超高輝度ＬＥＤを点灯し、さらにこの直流を、祭壇内部に設けた充電回路にも給電し、祭壇内部に設けたリチャージブル大容量ニッケル水素電池に充電し、予備の電源として使用するようにしたことを特徴とする請求項１ないし３のいずれかに記載の立体祭壇。
【発明の詳細な説明】
【０００１】
【発明の属する技術分野】この発明は、従来の葬儀に用いられてきた白木祭壇の改良と安全に関するものであり、塗物の棺や高級高価な棺とよく馴染み、棺と祭壇が違和感なく、荘厳で華やかな雰囲気をかもし出す祭壇を提供しようとするものである。
【０００２】
【従来の技術】従来、一般に催されている葬祭では、伝統的な白木の祭壇と同じく伝統的な白木の棺が使用されて個々に調和していた。すなわち、一般に催されている葬祭に使用されている祭壇としては、伝統的な白木の祭壇が多く使用されている。
【０００３】
【発明が解決しようとする課題】しかしながら現在では棺に現代的な意匠を施したり、故人の趣味に合わせた棺を使用することが多く、伝統的な祭壇と前記したような現在多用される現代的な棺とにおいて伝統と現代との不似合いが生じてしまうことが多々存在した。すなわち、伝統的な祭壇と現代的な棺との調和が取れず落ち着きのない状況が頻繁に発生しているのが実情である。
【０００４】また、白木がそのままで外部環境に露出しているので、線香の煙や設置作業の際等における不用意な接触、その他の理由により祭壇の表面を汚染してしまうことがあった。
【０００５】このような問題点を解消するために、特開平９−１０８０９５号公報に記載されたごとく、白木の祭壇をクリーニングし、その後蛍光顔料を含んだ非水溶性のアクリル系透明合成樹脂をその表面に塗布して防汚機能を持つようにした白木祭壇が提案されている。しかし、白木の祭壇の素材表面に樹脂コーティング等を施して防汚機能を持たせただけでは、現代的な棺のイメージとマッチする祭壇を得ることはできない。
【０００６】そのため、カラフルな照明付の祭壇を使用することが考えられる。このような照明付の祭壇としては実開昭６３−１８１３７６号公報に見られるように、祭壇の内部に照明器具を内蔵させたものが提案されているが、これら照明器具の光源としては、通常の交流１００Ｖを使用した、電灯や蛍光灯が使用されてきている。
【０００７】しかしながら、上記のような電灯や蛍光灯を木製の祭壇に使用した場合、漏電や温度上昇に伴って火災や感電等の事故などを引き起こしてしまうという問題があった。
【０００８】
【課題を解決するための手段】すなわちこの発明の立体祭壇は、垂直方向に複数の壇で祭壇を構成し、各壇の前面に所定の空間を設けたことを特徴とするものである。
【０００９】またこの発明の立体祭壇は、上記祭壇を構成する各壇の前面に設けた所定の空間に、顔染料を施した造型物を設けたことをも特徴とするものである。
【００１０】この発明の立体祭壇は、上記顔染料を施した造型物に、漆仕上げ、載金（キリガネ）、金泥仕上げを施したことをも特徴とするものである。
【００１１】この発明の立体祭壇は、上記祭壇外部に、交流１００Ｖを直流に整流する回路を設け、この直流で、祭壇に設けた祭壇設備の照明としての超高輝度ＬＥＤを点灯し、さらにこの直流を、祭壇内部に設けた充電回路にも給電し、祭壇内部に設けたリチャージブル大容量ニッケル水素電池に充電し、予備の電源として使用するようにしたことをも特徴とするものである。
【００１２】以上のようにこの発明の立体祭壇は、垂直方向に複数の壇で祭壇を構成し、各壇の前面に所定の空間を設けるとともに、当該空間に顔染料を施した造型物を設置したものである。
【００１３】またこの発明の立体祭壇は、祭壇外部に、交流１００Ｖを直流に整流する回路を設け、この直流で、祭壇に設けた祭壇設備の照明としての超高輝度ＬＥＤを点灯し、さらにこの直流を、祭壇内部に設けた充電回路にも給電し、祭壇内部に設けたリチャージブル大容量ニッケル水素電池に充電し、予備の電源として使用するようにしたものである。
【００１４】したがって、漏電や温度の上昇に伴って火災や感電等の事故などを引き起こすおそれがなく、しかも従来の交流電源から派生する、繁雑なる管理、危険から解放された立体祭壇を提供することができる。
【００１５】
【発明の実施の形態】この発明の立体祭壇の実施の形態を図面に基いて詳細に説明する。
図１はこの発明の立体祭壇の１実施例を示す正面図、図２はその概略側面図、また図３はこの発明の立体祭壇に超高輝度ＬＥＤを採用した実施例を示す概略側面図である。
【００１６】この発明の立体祭壇の１実施例を示す図１および図２において、立体祭壇１１は垂直方向に複数の壇１２で構成されている。そして、各壇１２の前面には所定の空間１３を設けている。このような空間１３は、上下に所定の間隔で配置した天板２１および底板２２間を、背板２３とその前方に所定の間隔で配置した複数の支柱２４とで支えることにより形成されている。
【００１７】そして、上記立体祭壇１１を構成する各壇１２の前面に設けた所定の空間１３には、顔染料を施した造型物１４を設け、なおかつこの顔染料を施した造型物１４には、漆仕上げ、載金（キリガネ）、金泥仕上げ等を施している。このような造型物１４のモチーフとしては、従来の葬祭用の祭壇に使用されているような、花鳥風月や来世のイメージその他の適宜のモチーフを採用することができる。
【００１８】より詳しくは、図２のように背板２３の直立面よりピアノ線もしくは木質丸棒２５を水平方向に固定し、その先端に造型物１４を取り付けるものである。この造型物１４は、白木に顔染料を使用して色彩を施し、さらに、漆、載金（キリガネ）、金泥仕上げをしたものとして、今までに無い現代的空間美を表現し、現代的棺に馴染む立体祭壇１１を形成している。
【００１９】以上のように、立体祭壇１１を構成する各壇１２の前面に設けた所定の空間１３に、顔染料を施した造型物１４を設けることにより、従来の面でしかなかった祭壇に対し、この発明の立体祭壇においては立体的な空間を演出することができるようになっている。
【００２０】図において、２６は各壇１２をそれぞれ個々に支持する台座、２７は可動台、２８は可動台２７に取り付けたキャスタである。また、２９は立体祭壇１１の前部に配置され、種々の葬祭用具を搭載するための置き台、また図において３０は最上段の壇１２に搭載した屋根付きの飾り台である。
【００２１】次に図３の実施例において、立体祭壇３１の主に外部には、交流１００Ｖを直流に整流する回路３２を設け、この直流で、立体祭壇３１に設けた祭壇設備の照明としての超高輝度ＬＥＤ３３を点灯し、さらにこの直流を、立体祭壇３１の内部に設けた充電回路３４にも給電し、立体祭壇３１の内部に設けたリチャージブルな大容量ニッケル水素電池３５に充電して、予備の電源として使用するようにしてある。
【００２２】このように、超高輝度ＬＥＤを照明器具として使用することにより、従来のＬＥＤでは明るさが不足して使用に耐えなかったものを十分に使用可能なものとしたのである。なお、この超高輝度ＬＥＤ３３には直流が必要であるので、上述のように立体祭壇３１の外部に交流１００Ｖを直流に整流する回路３２を設け、そこより直流を立体祭壇３１内に供給し、立体祭壇３１を照明する超高輝度ＬＥＤ３３の電源としている。
【００２３】さらに図３に示した充電回路３４から立体祭壇３１内に設置した、充電可能な大容量ニッケル水素電池３５に充電して、必要に応じてそこから給電を行い、不測の停電に備えることができるようにしている。すなわち、大容量ニッケル水素電池３５は急速充電可能であり、電池切れの際など緊急事態に対応している。なおかつ内部に２個の電池を設けることにより、一つの電池が放電された段階でその電池に接続されたリレーが動作し、もう一つの電池に自動的に切り替わり、ほぼ間断なく点灯し続けるようにすることができる。また、この大容量ニッケル水素電池３５を使用することで交流１００Ｖから隔離することができ、漏電や温度上昇に伴う火災や感電等の事故などを回避することができる。
【００２４】さらに、直流を祭壇内部に設けた急速充電回路にも供給し、内部に設けた、リチャージブルニッケル水素電池を充電して電源として使用する。
【００２５】
【発明の効果】この発明の立体祭壇は、従来の白木祭壇にない空間という新しい世界を表現し、仏事に穏やかさと荘厳さをもたらし、会葬者の心を癒し和ませることができる。
【００２６】また立体祭壇の設置に際して、従来の交流電源を使用していることから派生する、繁雑なる維持管理や、漏電や温度上昇に伴う火災や感電等の事故から解放され、かつ、微細電流動作の超高輝度ＬＥＤを使用することにより、すこぶる省エネルギーであり、安心して運用することができる。
【図面の簡単な説明】
【図１】この発明の立体祭壇の１実施例を示す正面図である。
【図２】その概略側面図である。
【図３】この発明の立体祭壇に超高輝度ＬＥＤを採用した実施例を示す概略側面図である。
【符号の説明】
１１  立体祭壇
１２  壇
１３  空間
１４  造型物
２１  天板
２２  底板
２３  背板
２４  支柱
２５  ピアノ線もしくは木質丸棒
２６  台座
２７  可動台
２８  キャスタ
２９  置き台
３０  飾り台
３１  立体祭壇
３２  整流回路
３３  超高輝度ＬＥＤ
３４  充電回路
３５  大容量ニッケル水素電池
【図１】
2004215799.tif 000003
【図２】
2004215799.tif 000004
【図３】
2004215799.tif 000005